(57)【要約】【課題】小さな設置スペースでもバスダクトを布設して支持することができるバスダクト支持構造を提供する。【解決手段】絶縁被覆導体６００がハウジング３０で覆われ且つ構造物に略垂直方向に並設して配置されるバスダクト１００を、床３００に固定されてバスダクト１００の両側に設置される床支持装置４００等の支持装置で支持するバスダクト支持構造であって、バスダクト１００の厚さ方向両側のハウジング３０の一部が縮小されて縮小部分１０２とされ、ハウジング３０の縮小部分１０２に支持装置が取り付けられる。【選択図】図３
2011176929.tif 000002
【特許請求の範囲】
【請求項１】
導体がハウジングで覆われ且つ構造物に配置されるバスダクトを、支持装置で支持するバスダクト支持構造であって、
前記バスダクトの厚さと幅の少なくとも一方で前記ハウジングの一部が縮小され、
前記ハウジングの縮小部分に前記支持装置が取り付けられることを特徴とするバスダクト支持構造。
【請求項２】
複数系統のバスダクトが並列して前記構造物に配置され、
複数系統のバスダクトの少なくとも１つのバスダクトに前記縮小部分が形成されることを特徴とする請求項１記載のバスダクト支持構造。
【請求項３】
前記縮小部分が形成されるバスダクトは前記構造物に対して略垂直に布設され、
前記支持装置が前記縮小部分が形成されるバスダクトを略垂直な状態で支持することを特徴とする請求項１又は２記載のバスダクト支持構造。
【請求項４】
前記ハウジングには補強部が形成され、
前記補強部を短縮する形状により若しくは除去することにより、前記ハウジングの縮小部分が形成されていることを特徴とする請求項１〜３の何れかに記載のバスダクト支持構造。
【請求項５】
前記ハウジングの縮小部分の周囲の少なくとも一部に、前記補強部とは異なる他の補強部が前記縮小部分の縮小状態を略維持して設けられることを特徴とする請求項１〜４の何れかに記載のバスダクト支持構造。
【発明の詳細な説明】
【技術分野】
【０００１】
本発明は、例えばオフィスビル、工場、変電設備等の建築構造物で電気幹線を構成するバスダクトを支持するバスダクト支持構造に関する。
【背景技術】
【０００２】
従来から、構造物への電力供給手段として、構造物内に電気幹線であるバスダクトが設置されている。バスダクトは、１系統の経路毎に構成され、例えば内部に三層交流の導体が設けられ、その外側にこれらを保護するハウジングが設けられる。このようなバスダクトを設置する場合、例えば構造物の床を貫通させ、垂直方向に伸長するように設け、床に設ける支持装置で支持する。
【０００３】
例えば特許文献１の図９には、バスダクトの厚さ方向の両側に支持装置を設け、垂直方向に延びるバスダクトを支持装置のバネで支持する構成が開示されており、このバネ支持により、温度変化などに起因するバスダクトの伸縮をバネで柔軟に吸収することが可能になっている。
【先行技術文献】
【特許文献】
【０００４】
【特許文献１】特開２００８−１２５２２８公報
【発明の概要】
【発明が解決しようとする課題】
【０００５】
ところで、バスダクトを垂直方向に複数系統で並設する際、バスダクトの厚さ方向（短辺方向）の面が向き合うように並設することが多い。この場合、特許文献１のようにバスダクトの厚さ方向の両側に支持装置を設ける構成では、バスダクト間に支持装置を２セット配置することになり、その配置スペースを確保する分だけバスダクトの並設間隔を広げて布設する必要が生ずる。また、バスダクトを単系統で布設する場合でも、構造物の壁等に隣接してバスダクトを布設する際には、支持装置の配置スペースを確保する必要があり、その分だけ壁等からの距離を広げて布設する必要が生ずる。そのため、小さな設置スペースでもバスダクトを布設して支持することができる構成が求められている。
【０００６】
本発明は上記課題を解決するために提案するものであり、小さな設置スペースでもバスダクトを布設して支持することができるバスダクト支持構造を提供することを目的とする。
【課題を解決するための手段】
【０００７】
本発明のバスダクト支持構造は、導体がハウジングで覆われ且つ構造物に配置されるバスダクトを、支持装置で支持するバスダクト支持構造であって、前記バスダクトの厚さと幅の少なくとも一方で前記ハウジングの一部が縮小され、前記ハウジングの縮小部分に前記支持装置が取り付けられることを特徴とする。
この構成によれば、ハウジングが縮小された分だけ支持装置をバスダクト側に寄せて配置することができ、垂直布設型バスダクトと水平布設型バスダクトとに関わらず、バスダクトの設置スペースをその分だけ縮小することが可能となる。従って、バスダクト及び支持装置を小さな設置スペースに設け、小さな設置スペースでバスダクトを布設して支持することができる。
【０００８】
本発明のバスダクト支持構造は、複数系統のバスダクトが並列して前記構造物に配置され、複数系統のバスダクトの少なくとも１つのバスダクトに前記縮小部分が形成されることを特徴とする。
この構成によれば、複数系統のバスダクトの布設間隔を小さくすることができると共に、複数系統のバスダクトを布設する場合に作業スペースを確保することができる。
【０００９】
本発明のバスダクト支持構造は、前記縮小部分が形成されるバスダクトは前記構造物に対して略垂直に布設され、前記支持装置が前記縮小部分が形成されるバスダクトを略垂直な状態で支持することを特徴とする。
この構成によれば、良好なバスダクトの垂直支持を確保しつつ、小さな設置スペースで垂直布設型のバスダクトを布設して支持することができる。
【００１０】
本発明のバスダクト支持構造は、前記ハウジングには補強部が形成され、前記補強部を短縮する形状により若しくは除去することにより、前記ハウジングの縮小部分が形成されていることを特徴とする。
この構成によれば、補強部によりバスダクトの高強度を確保することができると共に、補強部の短縮や除去でハウジングの縮小部分を容易に形成することができる。
【００１１】
本発明のバスダクト支持構造は、前記ハウジングの縮小部分の周囲の少なくとも一部に、前記補強部とは異なる他の補強部が前記縮小部分の縮小状態を略維持して設けられることを特徴とする。
この構成によれば、補強部の縮小による強度低下を他の補強部で補うことができる。
【００１２】
本発明のバスダクト支持構造は、前記ハウジングの通常部分に設けられる補強部と、前記ハウジングの縮小部分に設けられる補強部とを備え、前記通常部分の補強部が前記バスダクトの厚さ方向の外方に延設され、前記縮小部分の補強部が前記バスダクトの厚さ方向の内方に延設されることを特徴とする。
この構成によれば、縮小部分の強度を確保しつつ、より厚さの薄い縮小部分を構成することができ、より設置スペースの縮小を図ることができる。
【００１３】
本発明のバスダクト支持構造は、前記ハウジングの通常部分に設けられる補強部と、前記ハウジングの縮小部分に設けられる補強部とを備え、前記縮小部分の補強部が前記通常部分の補強部を切除して形成されていることを特徴とする。
この構成によれば、縮小部分の強度を確保できると共に、支持装置を取り付ける部分だけ通常部分の補強部を切除すればよいため、予め支持装置の取り付けを想定して広い範囲の縮小部分を形成する必要が無く、その分だけバスダクト１１０の強度低下を防ぐことができる。
【００１４】
本発明のバスダクト支持構造は、前記ハウジングの通常部分に設けられる補強部と、前記ハウジングの縮小部分に設けられる補強部とを備え、前記通常部分の補強部が前記バスダクトの厚さ方向の外方に延設され、前記縮小部分の補強部が前記バスダクトの厚さ方向に外方に延設され且つその外方突出量が前記通常部分の補強部よりも短いことを特徴とする。
この構成によれば、縮小部分の形成による強度低下を極力抑えることが可能であり、設置スペースの縮小を実現しつつもバスダクトを高い剛性に保つことができる。
【００１５】
本発明のバスダクト支持構造は、前記ハウジングの通常部分に設けられる補強部と、前記ハウジングの縮小部分に設けられる補強部とを備え、前記通常部分の補強部が前記バスダクトの厚さ方向の外方に延設され、前記縮小部分の補強部が前記バスダクトの幅方向の外方に延設されることを特徴とする。
この構成によれば、支持装置を有しない側を有効利用して補強することができ、バスダクトの全体の剛性を低下させることなく設置スペースの縮小を高い効果で実現することができる。
【発明の効果】
【００１６】
本発明のバスダクト支持構造によれば、ハウジングが縮小された分だけ支持装置をバスダクト側に寄せて配置することができ、垂直布設型バスダクトと水平布設型バスダクトとに関わらず、バスダクトの設置スペースをその分だけ縮小することが可能となる。従って、バスダクト及び支持装置を小さな設置スペースに設け、小さな設置スペースでバスダクトを布設して支持することができる。
【図面の簡単な説明】
【００１７】
【図１】（ａ）は第１実施形態のバスダクト支持構造の正面図、（ｂ）はその側面図。
【図２】（ａ）は第１実施形態におけるバスダクトの側面図、（ｂ）はその正面図、（ｃ）は同図（ｂ）のＡ−Ａ断面図、（ｄ）は同図（ｂ）のＢ−Ｂ断面図。
【図３】（ａ）は第１実施形態のバスダクト支持構造の拡大正面図、（ｂ）はその拡大側面図。
【図４】（ａ）は第２実施形態におけるバスダクトの側面図、（ｂ）はその正面図、（ｃ）は同図（ｂ）のＡ−Ａ断面図、（ｄ）は同図（ｂ）のＢ−Ｂ断面図。
【図５】（ａ）は第２実施形態のバスダクト支持構造の拡大正面図、（ｂ）はその拡大側面図。
【図６】（ａ）は第３実施形態におけるバスダクトの側面図、（ｂ）はその正面図、（ｃ）は同図（ｂ）のＡ−Ａ断面図、（ｄ）は同図（ｂ）のＢ−Ｂ断面図。
【図７】（ａ）は第３実施形態のバスダクト支持構造の拡大正面図、（ｂ）はその拡大側面図。
【図８】（ａ）は第４実施形態におけるバスダクトの側面図、（ｂ）はその正面図、（ｃ）は同図（ｂ）のＡ−Ａ断面図、（ｄ）は同図（ｂ）のＢ−Ｂ断面図。
【図９】（ａ）は第４実施形態のバスダクト支持構造の拡大正面図、（ｂ）はその拡大側面図。
【図１０】（ａ）は第４実施形態のバスダクト支持構造の変形例の拡大正面図、（ｂ）はその拡大側面図。
【図１１】（ａ）は第５実施形態のバスダクト支持構造の平面図、（ｂ）は同図（ａ）のＡ−Ａ断面図、（ｃ）は同図（ａ）のＢ−Ｂ断面図。
【図１２】（ａ）は第６実施形態におけるバスダクトの正面図、（ｂ）はその平面図、（ｃ）は同図（ｂ）のＡ−Ａ断面図、（ｄ）は同図（ｂ）のＢ−Ｂ断面図。
【図１３】第６実施形態のバスダクト支持構造の正面図。
【図１４】（ａ）は第７実施形態のバスダクト支持構造の拡大正面図、（ｂ）はその拡大側面図、（ｃ）はその縮小部分を有するバスダクトだけを示す拡大側面図。
【図１５】（ａ）は変形例のバスダクト支持構造の拡大正面図、（ｂ）はその拡大側面図。
【発明を実施するための形態】
【００１８】
〔第１実施形態のバスダクト支持構造〕
本発明による第１実施形態のバスダクト支持構造について説明する。図１及び図３は第１実施形態のバスダクト支持構造の図、図２は第１実施形態におけるバスダクトの図である。
【００１９】
第１実施形態のバスダクト支持構造は、図１及び図３に示すように、オフィスビル、工場、変電設備等の各階の床３００−１、３００−２の図示省略する貫通孔を貫通するようにして、複数系統である２系統のバスダクト１００−１、１００−２が略垂直に布設して配置され、各床３００−１、３００−２の上面に設置される支持装置である床支持装置４００により、バスダクト１００−１、１００−２を略垂直な状態で支持するものである。
【００２０】
各系統のバスダクト１００−１、１００−２は、一例として各々同じ電気容量で、各系統のバスダクトの幅と厚みが同一とされており、その厚さ方向の面が所定間隔を開けて略並行に向かい合うようにして配置されている。また、各系統のバスダクト１００−１、１００−２には、それぞれ後述する直線状の絶縁被覆導体６００が収納されており、接続部２００−１、２００−２によって各系統毎に端部で絶縁被覆から露出する絶縁被覆導体６００やハウジング３０を相互に接続され、オフィスビル等の下方階から上方階まで連続する電気幹線路を構成する。図１の例では１つの階で１箇所に接続部２００が設けられている。
【００２１】
床支持装置４００は、バスダクト１００−１、１００−２のそれぞれの厚さ方向の両側に配置され、各系統のバスダクト１００は厚さ方向両側の床支持装置４００・４００で支持される。そして、バスダクト１００−１、１００−２は、後述する縮小部分１０２が床３００−１、３００−２の上面付近に位置するようにして設置され、その縮小部分１０２の厚さ方向両側に床支持装置４００・４００が配置される。支持装置である床支持装置４００・４００は、バスダクト１００を挟み込むようにして縮小部分１０２に取り付けられる。
【００２２】
バスダクト１００の詳細な構造は、図２に示すように、複数相（図示例では３相）からなる絶縁被覆された導体である絶縁被覆導体６００がその厚さ方向に積層され、絶縁被覆導体６００の幅方向の両側に断面ロ字形のスペーサ４０が配設置される。絶縁被覆導体６００の厚さ方向である絶縁被覆導体６００及びスペーサ４０・４０の両外側にはハウジング３０・３０が配置されて絶縁被覆導体６００を覆っており、ハウジング３０・３０はボルト４１及びナット４２で締着して固定され、ハウジング３０・３０間に介在する絶縁被覆導体６００及びスペーサ４０・４０はハウジング３０・３０で挟持される。ボルト４１及びナット４２の配置位置や設置間隔は適宜変更可能である。
【００２３】
ハウジング３０は、バスダクト１００の長手方向の両端側における通常部分１０１において、平らな基面３１の両端縁から外方に略９０度に屈曲して延設された第１補強部３２と、第１補強部３２の外側端縁から互いに向き合うように略９０度に屈曲して延設される第２補強部３３とを有し、バスダクト１００の強度を保持している。また、ハウジング３０は、バスダクト１００の通常部分１０１に挟まれた中間部分が、バスダクト１００の厚さ方向における長さが通常部分１０１よりも縮小して形成されている縮小部分１０２になっている。縮小部分１０２におけるハウジング３０は、平らな基面３１の両端縁から内方に略９０度屈曲して延設され、バスダクト１００の強度を保持する第３補強部３４を有し、その例としてスペーサ４０の幅の略半分の長さで延設され、絶縁被覆導体６００の幅方向において絶縁被覆導体６００及びスペーサ４０を被覆している。
【００２４】
即ち、バスダクト１００は、第１補強部３２及び第２補強部３３により断面視略工字型に形成されている通常部分１０１と、断面視略細長矩形で通常部分１０１よりもバスダクト１００の厚さ方向の長さが縮小されている縮小部分１０２、換言すれば第１補強部３２及び第２補強部３３を除去し、代わりにこれと異なる他の補強部である第３補強部３４が形成されている縮小部分１０２とから構成される。この他の補強部は、前記第３補強部３４の構成以外にも、ハウジング３０の縮小部分１０２の周囲の少なくとも一部に設けられ、縮小部分１０２の縮小状態を略維持可能で、例えば第１補強部３２・３２の先端間よりもバスダクト１００の厚さ方向の長さが短い状態を維持可能な構成であれば適宜であり、ハウジング３０の縮小部分１０２を消さないものであればよい。
【００２５】
尚、上記例のバスダクト１００のハウジング３０は、同一の基面３１に対して第１補強部３２、第２補強部３３、第３補強部３４が一体形成される場合について説明したが、バスダクト１００の一部においてハウジング３０が縮小されている構成であれば適宜であり、例えばバスダクト１００の通常部分１０１と縮小部分１０２とで別体のハウジング３０を設ける構成としてもよい。
【００２６】
また、床支持装置４００は、図１及び図３に示すように、バスダクト１００側に取り付けるバスダクト側取付部材４１０と、床３００側に取り付ける床側取付部材４２０とを有し、バスダクト側取付部材４１０と床側取付部材４２０との間にバネ部材５００が設けられ、バネ部材５００を介して各バスダクト１００を床３００で柔軟に支持し、バスダクト１００の長さ方向である垂直方向の伸縮を許容している。
【００２７】
バスダクト側取付部材４１０は、床３００と略平行に配置されバネ部材５００が取り付けられる略長方形状の取付基部４１１と、取付基部４１１の側端から略９０度屈曲して上方に延び且つバスダクト１００の厚さ方向の側面であるハウジング３０の基面３１に沿って延設される挟持片４１２と、挟持片４１２の両側端から略９０度屈曲してバスダクト１００の幅方向の側面であるハウジング３０の第３補強部３４に沿って第３補強部３４の終端付近まで延設される延在片４１３と、延在片４１３の端縁から挟持片４１２と略平行に外方に延設される固定片４１４とを有する。
【００２８】
バスダクト側取付部材４１０の固定片４１４には図示しないボルト孔が形成されており、バスダクト１００を挟んで配置される一対のバスダクト側取付部材４１０の密接する固定片４１４・４１４同士をボルト４１５とナット４１６とで螺着することにより、バスダクト側取付部材４１０がバスダクト１００の縮小部分１０２に取り付けられる。この際、バスダクト側取付部材４１０の挟持片４１２がバスダクト１００の厚さ方向の側面であるハウジング３０の基面３１を強く押圧することになり、挟持片４１２と基面３１との摩擦によってバスダクト１００の重量を支持する。
【００２９】
床側取付部材４２０は、バスダクト１００の幅方向両側に配置され、床３００にねじ止め等で固定される断面視略コ字形の第１チャンネル部材４２１と、バスダクトの厚さ方向両側に配置され、第１チャンネル部材４２１の上側に載置してボルト締め等で固定される断面視略コ字形の第２チャンネル部材４２２とから構成され、第２チャンネル部材４２２の上面にはバネ部材５００が固定して取り付けられる。前記固定されるバネ部材５００により、取付基部４１１がバネ支持されて、バスダクト側取付部材４１０が取付けられているバスダクト１００がバネ支持される。
【００３０】
尚、上記例では、バスダクト１００の両端側に通常部分１０１を形成し、通常部分１０１に挟まれた中間部分を縮小部分１０２とする構成としたが、例えばバスダクト１００の両端側に縮小部分１０２を形成し、その縮小部分１０２に挟まれた中間部分を通常部分１０１とする構成や、通常部分１０１及び縮小部分１０２を形成する数を任意に増やし、交互等で適宜の位置に形成する構成等とすることが可能であり、バスダクト１００の一部においてハウジング３０が縮小されている部分が形成されていれば、それぞれの位置や形成数は特に限定されない。
【００３１】
第１実施形態のバスダクト支持構造では、バスダクト１００の縮小部分１０２に対して床支持装置４００を取り付けてバスダクト１００を支持することにより、通常部分１０１に床支持装置４００を取り付ける場合に比して、床支持装置４００をバスダクト１００に近い位置に配置することが可能になる。その結果、バスダクト１００や床支持装置４００の設置スペースを縮小することができ、複数系統のバスダクト１００を厚さ方向に並設する場合に布設間隔を小さくすることが可能となり、又、布設間隔を小さくする代わりに作業スペースを広く確保することも可能であり、布設間隔と作業性とを適宜選択する設計も可能である。また、本実施形態のバスダクト支持構造を単系統のバスダクト１００に使用した場合には、設置スペースの縮小で壁などにより近づけて配置することが可能となる。また、通常部分１０１の補強部がバスダクト１００の厚さ方向の外方に延設され、縮小部分１０２の補強部がバスダクト１００の厚さ方向の内方に延設される構成により、縮小部分１０１の強度を確保しつつ、より厚さの薄い縮小部分１０１を構成することができ、より設置スペースの縮小を図ることができる。
【００３２】
〔第２実施形態のバスダクト支持構造〕
次に、第２実施形態のバスダクト支持構造について説明する。図４は第２実施形態におけるバスダクトの図、図５は第２実施形態のバスダクト支持構造の拡大図である。尚、第２実施形態において、第１実施形態と同構成の部分については同じ記号を付し、その説明を一部省略する。
【００３３】
第２実施形態におけるバスダクト１１０は、図４に示すように、その長手方向の両端側に第１実施形態と同一構成の通常部分１０１を有すると共に、縮小部分１０２におけるハウジング３０には、平らな基面３１の両端縁から外方に略９０度に屈曲して第１補強部３２よりも短く延設された第３補強部３５が形成されており、バスダクト１１０の幅方向視で、ハウジング３０の第１補強部３２が切り欠かれるように短縮されることで縮小部分１０２が形成されている。
【００３４】
即ち、バスダクト１１０は、第１補強部３２及び第２補強部３３により断面視略工字型に形成されている通常部分１０１と、断面視略Ｉ字形で通常部分１０１よりもバスダクト１００の厚さ方向の長さが縮小されている縮小部分１０２、換言すれば第１補強部３２及び第２補強部３３を除去し、代わりにこれと異なる他の補強部である第３補強部３５が形成されている縮小部分１０２とから構成され、縮小部分１０２もその分の補強効果を有する。
【００３５】
そして、第２実施形態のバスダクト支持構造では、図５に示すように、２系統のバスダクト１１０−１及びバスダクト１１０−２が床３００に形成された図示しない貫通孔を貫通して略垂直に並設されると共に、縮小部分１０２が床３００の上面付近に位置するように配置される。並設されたバスダクト１１０の縮小部分１０２の厚さ方向両側に床支持装置４００が配置され、バスダクト１１０を挟み込むようにして縮小部分１０２に取り付けられる。
【００３６】
第２実施形態における床支持装置４００のバスダクト側取付部材４３０は、床３００と略平行に配置されバネ部材５００が取り付けられる略長方形状でバスダクト１１０の幅よりも短い長さの取付基部４３１と、取付基部４３１の側端から略９０度で屈曲して上方に延び且つバスダクト１１０の厚さ方向の側面であるハウジング３０の基面３１に沿って延設される挟持片４３２と、挟持片４３２の両側端から略９０度で屈曲してバスダクト１１０の厚さ方向外側に延設される延在片４３３と、延在片４３３の端縁から挟持片４３２と略平行に外方に延設される固定片４３４とを有する。延在片４３３及び固定片４３４は、床支持装置４００がバスダクト１１０に取り付けられた際に、第３補強部３５を乗り越えて跨ぐことができる寸法に形成されている。
【００３７】
バスダクト側取付部材４３０の固定片４３４には図示しないボルト孔が形成されており、バスダクト１１０を挟んで配置される一対のバスダクト側取付部材４３０の離間する固定片４３４・４３４にボルト４１５を貫通し、固定片４３４・４３４同士をボルト４１５とナット４１６とで螺着することにより、バスダクト側取付部材４３０がバスダクト１１０に取り付けられる。この際、延在片４３３及び固定片４３４が第３補強部３５を跨ぐように延設されているため、バスダクト側取付部材４３０の挟持片４３２がバスダクト１１０の厚さ方向の側面であるハウジング３０の基面３１を強く押圧してバスダクトの重量を支持し、第１実施形態と同様に、挟持片４３２と基面３１との摩擦によってバスダクト１１０の重量を支持する。
【００３８】
更に、第２実施形態のバスダクト支持構造において、バスダクト１１０の縮小部分１０２の形成は、例えば予め縮小部分１０２を設定し、工場等においてバスダクト１１０を組み立てる際のハウジング３０の形成時に形成するか、或いは全体が通常部分１０１であるバスダクト１１０を予め用意しておき、このバスダクト１１０を施工する際に床支持装置４００を取り付ける部分の第１補強部３２及び第２補強部３３を現場で切り欠いて第３補強部３５を形成し、縮小部分１０２を後加工して形成する。
【００３９】
尚、第２実施形態における縮小部分１０２は、バスダクト１１０の第１補強部３２の切り口が図４及び図５に示すように矩形になるように第１補強部３２及び第２補強部３３を切り欠いて第３補強部３５を形成する場合について述べたが、バスダクト１１０に床支持装置４００を取り付けることができる構成であれば、縮小部分１０２の形状は限定されない。特に、例えば矩形の角部分が円弧形状になるように第１補強部３２及び第２補強部３３を切り欠いて第３補強部３５を形成したり、また外方に向けて幅広な台形になるように第１補強部３２及び第２補強部３３を切り欠いて第３補強部３５を形成したり、さらに第１補強部３２の切り口が楕円を長軸で半分に切った形状になるように第１補強部３２及び第２補強部３３を切り欠いて第３補強部３５を形成してもよく、そのような形状であれば、切り欠き作業が容易になる。更に、工場等でバスダクト１１０の縮小部分１０２を予め形成する際等に、第３補強部３５が無い形状に形成することも可能であり、その場合には、第２実施形態のバスダクト側取付部材４３０の代わりに、第１実施形態のバスダクト側取付部材４１０を用いることも可能である。
【００４０】
第２実施形態のバスダクト支持構造も、第１実施形態と同様の効果を奏する。また、バスダクト１１０では、縮小部分１０２の形成方法を選択できる分だけ利便性がある。更に、後加工で通常部分１０１の補強部を切除して縮小部分１０２を形成する場合には、床支持装置４００を取り付ける部分だけ第１補強部３２及び第２補強部３３を切り欠けばよいため、予め床支持装置４００の取り付けを想定して広い範囲の縮小部分１０２を形成する必要が無く、その分だけバスダクト１１０の強度低下を防ぐことができる。
【００４１】
〔第３実施形態のバスダクト支持構造〕
次に、第３実施形態のバスダクト支持構造について説明する。図６は第３実施形態におけるバスダクトの図、図７は第３実施形態のバスダクト支持構造の拡大図である。尚、第３実施形態において、第１実施形態と同構成の部分については同じ記号を付し、その説明を一部省略する。
【００４２】
第３実施形態におけるバスダクト１２０は、図６に示すように、その長手方向の両端側に第１実施形態と同一構成の通常部分１０１を有すると共に、縮小部分１０２におけるハウジング３０には、平らな基面３１の両端縁から外方に略９０度に屈曲して第１補強部３２よりも短く延設された第３補強部３６と、第３補強部３６の外側端縁から互いに向き合うように略９０度に屈曲して延設される第２補強部３３とが形成されており、バスダクト１２０の縮小部分１０２の強度を保持している。
【００４３】
即ち、バスダクト１２０は、第１補強部３２及び第２補強部３３により断面視略工字型に形成されている通常部分１０１と、断面視略工字型で通常部分１０１よりもバスダクト１００の厚さ方向の長さが縮小されている縮小部分１０２とから構成され、通常部分１０１のハウジング３０において、第１補強部３２が第１補強部３２よりも短い第３補強部３６に置き換えられて短縮され縮小部分１０２が形成されている。このように第１補強部３２及び第２補強部３３に代えて、これと異なる他の補強部である第２補強部３３及び第３補強部３６で形成されている縮小部分１０２を設けることにより、縮小部分１０２もその分の補強効果を有する。尚、製造時には通常部分１０１の第１補強部３２と縮小部分１０２の第３補強部３６に対応する板材に切り込みを入れ、先に縮小部分１０２に対応する部分を折り曲げて第２補強部３３を形成し、その後に通常部分１０１に対応する部分を折り曲げて第２補強部３２を形成する工程とすると、容易に各補強部を形成することができて好適である。
【００４４】
そして、第３実施形態のバスダクト支持構造では、図７に示すように、２系統のバスダクト１２０−１及びバスダクト１２０−２が床３００に形成された図示しない貫通孔を垂直に貫通して並設されると共に、縮小部分１０２が床３００の上面付近に位置するように設置される。並設されたバスダクト１２０の縮小部分１０２の厚さ方向両側に床支持装置４００が配置され、バスダクト１２０を挟み込むようにして縮小部分１０２に取り付けられる。
【００４５】
第３実施形態における床支持装置４００のバスダクト側取付部材４４０は、床３００と略平行に配置されバネ部材５００が取り付けられる略長方形状でバスダクト１２０の幅と同程度の長さの取付基部４４１と、取付基部４４１の側端から略９０度で屈曲して上方に延び且つバスダクト１２０の厚さ方向の側面であるハウジング３０の基面３１に沿って延設される挟持片４４２と、挟持片４４２の両側端から略９０度で屈曲してバスダクト１２０の幅方向の側面であるハウジング３０の第３補強部３６に沿って延設される延在片４４３とを有する。
【００４６】
バスダクト側取付部材４４０の挟持片４４２には図示しないボルト孔が形成されており、このボルト孔に対し、ボルト４１５がバスダクト１２０側から挿入されている。ボルト４１５の頭部と挟持片４４２との間には、例えば第２補強部３３の厚み分の段差とボルト４１５を挿通可能な挿通孔とが形成された平板形状の係止部が、挿通孔にボルト４１５が挿通された状態で配置されている。そして係止部の段差がバスダクト１２０の第２補強部３３の裏側に回りこんだ状態でボルト４１５をナット４１６で螺合することにより、バスダクト側取付部材４４０がバスダクト１２０に取り付けられる。これにより、バスダクト側取付部材４４０の挟持片４４２がバスダクト１２０の第２補強部３３を強く押圧することになり、挟持片４４２と第２補強部３３との摩擦によってバスダクト１２０の重量が支持される。
【００４７】
尚、第３実施形態では、バスダクト１２０の厚さ方向の両側に床支持装置４００を取り付ける構成としたが、バスダクト１２０の厚さ方向の一方側に床支持装置４００を設ける構成とすることも可能である。
【００４８】
第３実施形態のバスダクト支持構造も、第１実施形態と同様の効果を奏する。また、通常部分１０１の補強部がバスダクト１２０の厚さ方向の外方に延設され、縮小部分１０２の補強部がバスダクト１２０の厚さ方向に外方に延設され且つその外方突出量が通常部分１０１の補強部よりも短い構成、即ちバスダクト１２０の縮小部分１０２が第１補強部３２よりも第３補強部３６の長さが短い点のみが通常部分１０１と異なり、それ以外の構成については通常部分１０１と同様の構成であるため、縮小部分１０２を形成したことによる強度低下を極力抑えることが可能であり、設置スペースの縮小を実現しつつもバスダクト１２０を高い剛性に保つことができる。
【００４９】
〔第４実施形態のバスダクト支持構造〕
次に、第４実施形態のバスダクト支持構造について説明する。図８は第４実施形態におけるバスダクトの図、図９は第４実施形態のバスダクト支持構造の拡大図である。尚、第４実施形態において、第１実施形態と同構成の部分については同じ記号を付し、その説明を一部省略する。
【００５０】
第４実施形態におけるバスダクト１３０は、図８に示すように、その長手方向の両端側に第１実施形態と同一構成の通常部分１０１を有すると共に、縮小部分１０２におけるハウジング３０には、バスダクト１３０の幅方向両側に向けてスペーサ４０の幅と同程度に延設された補強領域を有する平らな基面３１が形成され、平らな基面３１の両端縁から内方に略９０度で屈曲してスペーサー４０の略半分の長さに延設された第３補強部３７と、第３補強部３７の端縁から更に内方に略９０度に屈曲して延設され、例えばスペーサ４０に当接する程度の長さに延設された第４補強部３８とが形成されており、バスダクト１３０の縮小部分１０２の強度を保持している。
【００５１】
即ち、バスダクト１３０は、第１補強部３２及び第２補強部３３により断面視略工持型に形成されている通常部分１０１と、断面視略細長矩形で通常部分１０１よりもバスダクト１００の厚さ方向の長さが縮小されていれる縮小部分１０２とから構成される。換言すれば縮小部分１０２には、第１補強部３２と第２補強部３３が除去され、代わりにこれと異なる他の補強部である、基面３１の補強領域と第３補強部３７と第４補強部３８が形成されており、縮小部分１０２はスペーサ４０と略同幅の状態を有すると共に、縮小部分１０２による補強効果が得られる。
【００５２】
そして、第４実施形態のバスダクト支持構造では、図９に示すように、２系統のバスダクト１３０−１及びバスダクト１３０−２が床３００に形成された図示しない貫通孔を貫通して略垂直に並設されると共に、縮小部分１０２が床３００の上面付近に位置するように配置される。並設されたバスダクト１３０の縮小部分１０２の厚さ方向両側に床支持装置４００が配置され、バスダクト１３０を挟み込むようにして縮小部分１０２に取り付けられる。
【００５３】
第４実施形態における床支持装置４００のバスダクト側取付部材４５０は、床３００と略平行に配置されバネ部材５００が取り付けられる略長方形状の取付基部４５１と、取付基部４５１の側端から略９０度屈曲して上方に延び且つバスダクト１３０の厚さ方向の側面であるハウジング３０の基面３１に沿って延設される挟持片４５２と、挟持片４５２の両側端から挟持片４５２と平行で水平方向に延設される固定片４５３とを有する。
【００５４】
バスダクト側取付部材４５０の固定片４５３には図示しないボルト孔が形成されており、バスダクト１３０を挟んで配置される一対のバスダクト側取付部材４５０の離間する固定片４５３・４５３にボルト４１５を貫通し、固定片４５３・４５３同士をボルト４１５とナット４１６とで螺着することにより、バスダクト側取付部材４５０がバスダクト１３０に取り付けられる。この際、バスダクト側取付部材４５０の挟持片４５２がバスダクト１３０の厚さ方向の側面であるハウジング３０の基面３１を強く押圧してバスダクトの重量を支持し、第１実施形態と同様に、挟持片４５２と基面３１との摩擦によってバスダクト１３０の重量を支持する。
【００５５】
第４実施形態のバスダクト支持構造も、第１実施形態と同様の効果を奏する。また、第４実施形態では、通常部分１０１の補強部がバスダクト１３０の厚さ方向の外方に延設され、縮小部分１０２の補強部、すなわち他の補強部としての基面３１の補強領域と第３補強部３７と第４補強部３８とがバスダクト１３０の幅方向の外方に延設される構成であり、バスダクト１３０の縮小部分１０２では第１補強部３２及び第２補強部３３が全て除去されているため、設置スペースの縮小効果が大きい。その一方、バスダクト１３０の幅方向側である床支持装置４００を配置しない側に、他の補強部である第３補強部３７及び第４補強部３８を形成しているため、縮小部分１０２を形成したことによる強度低下分の剛性をその他の補強部に肩代わりさせることができる。すなわち、バスダクト１２０の全体の剛性を低下させることなく設置スペースの縮小を高い効果で実現することができる。
【００５６】
尚、上記第４実施形態では、縮小部分１０２がバスダクト１３０の厚さ方向の両側のハウジング３０を縮小する構成としたが、縮小部分１０２おいて縮小されるハウジング３０はバスダクト１３０の厚さ方向の一方側とする構成、換言すればバスダクト１３０の厚さ方向の一方側のみを縮小部分１０２とすることも可能である。例えば図１０のバスダクト支持構造に示すように、第４実施形態のバスダクト１３０の縮小部分１０２におけるハウジング３０の片側を通常部分１０１と同形状にした２系統のバスダクト１３１−１及びバスダクト１３１−２を用いる構成とする。前記構成でも、バスダクト１３１−１及びバスダクト１３１−２のハウジング３０が厚さ方向に縮小された縮小部分１０２に対して床支持装置４００が取り付けられるため、通常部分１０１に床支持装置４００を取り付ける場合に比べれば、床支持装置４００をバスダクト１３１−１、１３１−２に近い位置に配置することが可能になる。その結果、第４実施形態に近い効果を得ることができ、布設間隔の縮小と高い剛性維持とを両立することが可能である。更に、図１０では、バスダクト１３１−１の縮小部分１０２とバスダクト１３１−２の縮小部分１０２とが向かい合うようにした場合について説明したが、縮小部分１０２が左側あるいは右側に揃うようにバスダクト１３１−１及びバスダクト１３１−２を配置しても良いし、隣り合うバスダクト１３１−１及びバスダクト１３１−２の縮小部分１０２が両外側に向けて配置されるようにしても良い。そして、ある階では隣り合うバスダクト１３１−１及びバスダクト１３１−２の縮小部分１０２が向かい合うように配置し、別の階では隣り合うバスダクト１３１−１及びバスダクト１３１−２の縮小部分１０２が両外側に向けて配置されるようにすれば、布設間隔の縮小と高い剛性維持と支持バランスの向上とを両立させることも可能である。
【００５７】
〔第５実施形態のバスダクト支持構造〕
次に、第５実施形態のバスダクト支持構造について説明する。図１１は第５実施形態のバスダクト支持構造の図である。尚、第５実施形態のバスダクト支持構造は、第３実施形態のバスダクト１２０を水平に布設した際の支持構造であるため、バスダクト１２０については第３実施形態と同一構成の部分と同じ記号を付すると共に、その説明を一部省略する。
【００５８】
第５実施形態のバスダクト支持構造は、図１１に示すように、複数系統のバスダクト１２０−１及びバスダクト１２０−２を、図示省略する天井部から吊り下げられた水平支持装置７００により水平支持するものである。
【００５９】
水平支持装置７００は、複数系統である２系統のバスダクト１２０−１及びバスダクト１２０−２の両側に配置され、図示省略する天井部から吊下げられる一対の支柱７１０・７１０と、断面視略コ字形のチャネル部材で、そのコ字の両端部が鋭角内向きに僅かに屈曲する形状であり、支柱７１０・７１０間に架け渡される支持架台７２０と、支柱７１０の下端に螺刻されている螺子溝に螺合されるナット等で、支柱７１０と支持架台７２０とを固定する架台固定部材７３０と、支持架台７２０の長手方向に沿って延びるレール溝に、その長手方向に沿って移動可能に取付けられると共に、縮小部分１０２においてバスダクト１２０の厚さ方向両側に配置されて補強部を把持し、縮小部分１０２を固定する固定部材７４０とを有する。固定部材７４０は鉤状に形成されており、その鉤状部分を縮小部分１０２におけるバスダクト１２０の第２補強部３３を跨いで引っ掛けられ、ボルト及びナットで支持架台７２０に螺着されることにより支持架台７２０に固定されると共に、バスダクト１２０を固定する。
【００６０】
第５実施形態のバスダクト支持構造では、バスダクト１２０の縮小部分１０２に対して固定部材７４０を取り付け、水平支持装置７００によってバスダクト１２０を水平に支持する構成により、通常部分１０１に固定部材７４０を取り付ける場合に比して、固定部材７４０をバスダクト１２０の本体に近い位置に配置することが可能になる。その結果、支持架台７２０上におけるバスダクト１２０の設置スペースを縮小することができ、バスダクト１２０が単系統であるか複数系統であるかに関わらず支持架台７２０を小さく、換言すれば長手方向の長さを短くすることが可能となり、支持架台７２０を短くした分だけ壁等により近づけて配置することができる。また、複数系統のバスダクト１２０をその厚さ方向に並設する場合であれば、布設間隔を小さくする代わりに作業スペースを広く確保することも可能であり、布設間隔と作業性とを適宜選択する設計も可能である。
【００６１】
尚、図示例の第５実施形態では、第３実施形態のバスダクト１２０を水平支持装置７００で水平支持する構成としたが、第１実施形態のバスダクト１００、第２実施形態のバスダクト１１０、若しくは第４実施形態のバスダクト１３０を水平支持装置７００で水平支持する構成、又は第１、２、３、４実施形態のバスダクト１００、１１０、１２０、１３０を任意に組み合わせて水平支持装置７００で水平支持する構成とすることも可能であり、縮小部分を有し、その縮小部分に水平支持装置７００を取り付けられる適宜のバスダクトを支持することが可能である。また、水平支持装置の構成も水平支持装置７００に限定されず、適用するバスダクトの縮小部分に取付可能であり、そのバスダクトを水平支持可能なものであれば適宜である。これらの構成でも第５実施形態と同様の効果を得ることができる。
【００６２】
〔第６実施形態のバスダクト支持構造〕
次に、第６実施形態のバスダクト支持構造について説明する。図１２は第６実施形態におけるバスダクトの図、図１３は第６実施形態のバスダクト支持構造の正面図である。尚、第６実施形態において、第５実施形態と同構成の部分については同じ記号を付し、その説明を一部省略する。
【００６３】
第１〜第５実施形態は、バスダクト１００、１１０、１２０、１３０の厚さ方向に延びるハウジングの端部に補強部が形成され、それを縮小するようにして縮小部分１０２を形成する構成であるのに対し、第６実施形態のバスダクト１４０は、図１２に示すように、バスダクト１４０の幅方向に延びるハウジングの端部に補強部が形成され、その補強部を縮小するようにして縮小部分１０２を形成する構成である。
【００６４】
第６実施形態におけるバスダクト１４０は、収納凹部を有する同一形状の一対のハウジング半体６０・６０を、収納凹部を対向配置するようにして接合され、その内部に複数相（図示例では３相）からなる絶縁被覆された絶縁被覆導体６００が収納されるものである。
【００６５】
ハウジング半体６０は、導電性のハウジング基材に絶縁加工を施して形成され、バスダクト１４０の長手方向の両端側における通常部分１０１において、断面視略コ字形の収納凹部６１と、収納凹部６１の両端から外方へ延びる第１フランジ６２と、第１フランジ６２の先端に設けられる断面視略コ字形の補強部６３とを有する。補強部６３の先端には係合部６４が形成され、対となる他のハウジング半体６０の係合部を係合するようになっている。また、ハウジング半体６０は、バスダクト１４０の通常部分１０１に挟まれた中間部分である縮小部分１０２において、断面視略コ字形の収納凹部６１と、収納凹部６１の両端から外方へ延び第１フランジよりも短い第２フランジ６５とを有する。そして、一対のハウジング半体６０・６０は、収納凹部６１・６１内に積層配置の絶縁被覆導体６００を収納しながら通常部分１０１の段差状の係合部６４・６４を係合して対向配置され、密接する第１フランジ６２・６２及び第２フランジ６５・６５をリベット６６等で結合して一体化される。
【００６６】
即ち、バスダクト１４０は、第１フランジ６２及び補強部６３により、断面視略工字型に形成されている通常部分１０１と、断面視略細長矩形で通常部分１０１よりもバスダクト１４０の幅方向の長さが縮小されている縮小部分１０２、換言すれば第１フランジ６２及び補強部６３に代えて、これと異なる他の補強部である第２フランジ６５が形成されている縮小部分１０２とから構成される。
【００６７】
バスダクト１４０を水平に支持する水平支持タイプのバスダクト支持構造は、天井裏、床下、既存の貫通孔等の狭い領域等にバスダクト１４０を水平布設することが可能であり、例えば図１３に示す構造とすることができる。図１３の第６実施形態のバスダクト支持構造では、天井裏の第１天井部３０１から支柱７１０を吊り下げて水平支持装置７００の支持架台７２０を設置し、支持架台７２０上に幅方向を上下に向けてバスダクト１４０を載置し、水平支持装置７００でバスダクト１４０を水平支持する。支持架台７２０の上面側には、バスダクト１４０の縮小部分１０２においてバスダクト１４０の幅方向下側の両側に設けられてハウジング半体６０の収納凹部６１を下から支えると共に、第２ハウジング６５を両側から把持する固定部材７５０が設けられている。固定部材７５０は、例えば断面視略凹形状で一方の側面に雌ネジ孔が形成された把持部を有し、その凹部分にバスダクト１４０の第２ハウジング６５を収納した状態で雄ネジでハウジング６５を凹部の内側面に押し付けるように螺合することで、バスダクト１４０に固定される。また固定部材７５０は、ボルト及びナットで支持架台７２０に螺着されることにより、支持架台７２０の長手方向に沿って延びるレール溝に、その長手方向に沿って移動可能に取り付けられる。このようにして固定部材７５０は、バスダクト１４０を支持架台７２０に固定する。
【００６８】
第６実施形態のバスダクト支持構造は、バスダクト１４０の縮小部分１０２に対して固定部材７５０を取り付け、水平支持装置７００によって支持架台７２０上に載置されるバスダクト１４０を水平に支持する構成により、通常部分１０１を支持架台７２０で支持する場合に比して、バスダクト１４０を第２天井部３０２に寄った状態で支持することが可能になる。その結果、通常のバスダクト、例えば通常部分１０１のみのバスダクト１４０では布設不可能な狭い天井裏でも、縮小部分１０２を有するバスダクト１４０では、縮小部分１０２に支持架台７２０を収納した分だけ上下の布設スペースを縮小することが可能であり、布設することが可能である。これは、床下等の他の狭い領域に対して布設する場合でも同様である。また、布設スペースを小さくする代わりに作業スペースを広く確保することも可能であり、布設スペースの縮小と作業性とを適宜選択する設計も可能である。
【００６９】
尚、第６実施形態は、バスダクト１４０を第１天井部３０１から吊り下げて水平支持するようにした場合であるが、例えば第２天井部３０２上に支持架台７２０を直接固定し、支持架台７２０上にバスダクト１４０の縮小部分１０２を載せて固定することも可能であり、バスダクト１４０の縮小部分１０２にバスダクト１４０を支持する部材である支持架台７２０が配置される構成であれば適宜である。この構成でも、第６実施形態と同様の効果を得ることが可能である。
【００７０】
また、第６実施形態は、第１フランジ６２及び補強部６３を有するバスダクト１４０において、補強部６３を除去した形状とすると共に第１フランジ６２を短縮した形状として第２フランジ６５とすることにより、縮小部分１０２を形成した場合であるが、例えば第１フランジ６２を有し補強部６３を有さないタイプのバスダクトにおいて、第１フランジ６２を短縮したり除去したりすることで縮小部分１０２を形成する構成とすることも可能である。即ち、ハウジングやハウジング半体６０から外方に突出して形成されている部分である補強部６３やフランジ６２、ボルト及びナット等を短縮したり除去することで縮小部分１０２を形成することができる。
【００７１】
〔第７実施形態のバスダクト支持構造〕
次に、第７実施形態のバスダクト支持構造について説明する。図１４は第７実施形態のバスダクト支持構造の図である。尚、第７実施形態において、上記実施形態と同構成の部分については同じ記号を付し、その説明を一部省略する。
【００７２】
第６実施形態のバスダクト支持構造は、幅方向に縮小部分１０２が形成されるバスダクト１４０を水平支持する構成であるのに対し、第７実施形態のバスダクト支持構造は、幅方向に縮小部分１０２が形成されるバスダクトを垂直に床支持する構成である。
【００７３】
第７実施形態のバスダクト１５０は、図１４（ｃ）に示すように、第６実施形態のバスダクト１４０（図１２参照）から更に補強部６５を除去して構成されている。
【００７４】
そして、第７実施形態のバスダクト支持構造では、図１４（ａ）、（ｂ）に示すように、縮小部分１０２を有しない通常のバスダクト９００と縮小部分１０２を有するバスダクト１５０とが、床３００に形成された図示しない貫通孔に垂直に貫通して並設されている。バスダクト１５０は、縮小部分１０２は床３００の上面付近に位置するように設置されており、その縮小部分１０２の幅方向両側に床支持装置４００が配置され、バスダクト１５０を挟み込むようにして取り付けられている。
【００７５】
床支持装置４００において、通常のバスダクト９００へ取り付けられるバスダクト側取付部材４７０は、床３００と略平行に配置された略長方形状の取付基部４７１と、取付基部４７１の側端から略９０度屈曲して上方且つバスダクト９００の補強部６３の幅方向の端面に沿って延設される挟持片４７２とを有し、バスダクト９００の幅方向両側に一対で配置されている。バスダクト側取付部材４７０の挟持片４７２には図示しないボルト孔がそれぞれ形成されており、一対のバスダクト側取付部材４７０をまとめて貫通するようにこれらボルト孔に対してボルト４１５が挿入され、ボルト４１５の逆側からナット４１６が螺合されることにより、バスダクト側取付部材４７０がバスダクト９００に取り付けられている。
【００７６】
一方、床支持装置４００において、バスダクト１５０の縮小部分１０２へ取り付けられるバスダクト側取付部材４８０は、床３００と略平行に配置された取付基部４８１と、取付基部４８１の側端から略９０度屈曲して上方且つバスダクト１５０のハウジング半体６０の幅方向の端面に沿って延設される挟持片４８２とを有し、バスダクト１５０の幅方向両側に一対で配置されている。また取付基部４８１は、上述の取付基部４７１に比べて、バスダクト１５０の厚さ方向には狭く幅方向には長く形成されている。バスダクト側取付部材４８０の挟持片４８２には図示しないボルト孔がそれぞれ形成されており、一対のバスダクト側取付部材４８０をまとめて貫通するようにこれらボルト孔に対してボルト４１５が挿入され、ボルト４１５の逆側からナット４１６が螺合されることにより、バスダクト側取付部材４８０がバスダクト１５０の縮小部分１０２に取り付けられている。
【００７７】
第７実施形態のバスダクト支持構造では、縮小部分１０２の分だけバスダクト１５０の幅がバスダクト９００の幅よりも狭くなっており、その結果、図１４（ａ）、（ｂ）のように、通常のバスダクト９００の幅方向両側に設けられた一対のバスダクト側取付部材４７０の挟持片４７２・４７２同士の間に、バスダクト側取付部材４８０が取り付けられたバスダクト１５０を挿入して挟むように配置することができる。すなわち、複数系統のバスダクトの布設間隔を小さくすることが可能であり、また、布設間隔を小さくする代わりに作業スペースを広くすることも可能である。また、単系統のバスダクト１５０と床支持装置４００（この場合、特にバスダクト側取付部材４８０）との関係でも、床支持装置４００を縮小部分１０２に取り付けることにより、バスダクト側取付部材４８０が通常部分１０１に取り付けられる場合に比べて設置スペースを縮小することができ、壁などに近づけて配置することが可能になる。更に、第１〜第４実施形態に対応する効果と、狭い領域に布設する場合には、第６実施形態に対応する効果も得られる。
【００７８】
〔実施形態の変形例等〕
本明細書開示の発明は、各発明や実施形態の構成の他に、適用可能な範囲で、これらの部分的な構成を本明細書開示の他の構成に変更して特定したもの、或いはこれらの構成に本明細書開示の他の構成を付加して特定したもの、或いはこれらの部分的な構成を部分的な作用効果が得られる限度で削除して特定した上位概念化したものを含み、下記の変形例等も包含する。
【００７９】
例えば、第４実施形態の変形例と同様に、第１〜第３実施形態の各バスダクト１００、１１０、１２０についても、縮小するハウジング３０を片側のみで縮小させる縮小部分１０２で構成することが可能であり、その場合にも、第１〜第３実施形態に近い効果をそれぞれ得ることができる。そして、このようにバスダクト１００、１１０、１２０、１３０が厚さ方向の両端で非対称な場合には、床支持装置４００の機構をそれに合わせて変更し、例えば第１〜第４実施形態の各床支持装置４００の機構を適宜組み合わせる構成等とすることにより、バスダクト１００、１１０、１２０、１３０の重量を支持することが可能である。
【００８０】
また、第１〜第４実施形態において、バスダクト１００、１１０、１２０、１３０のハウジング３０を押圧したり挟持したりする床支持装置４００を用いてバスダクト１００、１１０、１２０、１３０の重量を支えて垂直に支持する構成に限定されず、例えば、通常部分１０１と縮小部分１０２との境界における段差を利用し、ここに係止可能な機構を有する床支持装置を用いてバスダクトを支持しても良い。即ち、バスダクト１００、１１０、１２０、１３０を支持する床支持装置が縮小部分１０２に配置可能であり、設置スペースの縮小効果が得られるのであれば、床支持装置としてバネ部材を有しないタイプのものを適用することが可能である。
【００８１】
また、第１〜第４実施形態においては、各階を貫通して垂直に布設されるバスダクト１００、１１０、１２０、１３０を各床支持装置４００で支持する場合について説明したが、床支持装置４００は各階に設けて支持強度を高めても良いし、バスダクト１００、１１０、１２０、１３０に必要な支持強度を満たす範囲で間引いて少なくとも１つ設け、縮小部分１０２を減少し、ハウジング３０の強度低下を極力抑える構造にしても良いし、隣り合うバスダクト１００、１１０、１２０、１３０に対して階毎に千鳥に設け、縮小部分１０２を減少し、ハウジング３０の強度低下を極力抑えつつもバスダクト１００、１１０、１２０、１３０の支持バランスを安定させるようにしても良い。また、階を貫通しない程度の長さのバスダクト１００、１１０、１２０、１３０を支持する場合に床支持装置４００を適用しても良いし、配電盤や分電盤等の構造物から立ち上がるバスダクト１００、１１０、１２０、１３０の支持構造として床支持装置４００を適用しても良いし、前記構成を任意に組み合わせても良い。即ち、本発明では、バスダクトを構造物に対して垂直に支持するような場合等に、屋内屋外問わず、必要な支持強度とハウジング強度とを満たす範囲で本明細書に開示の構成を適宜選択して適用できる。
【００８２】
また、第１〜第４実施形態においては、バスダクト１００、１１０、１２０、１３０の厚さ方向に設けられた補強部を短縮あるいは除去することで縮小部分１０２を形成し、その厚さ方向側に床支持装置４００を設けるようにした場合について説明したが、厚さ方向に縮小部分１０２を形成し幅方向側に床支持装置４００を設ける構成としてもよく、例えば図１５に示すバスダクト支持構造としてもよい。尚、最終的に設置スペースを小さくすることができるのであれば、バスダクト１００、１１０、１２０、１３０、１４０に対する縮小部分１０２の形成方向と床支持装置４００や水平支持装置７００の設置方向とは特に限定しない。
【００８３】
図１５のバスダクト支持構造は、バスダクト１２０（図６参照）を支持するものであり、２系統のバスダクト１２０−１及びバスダクト１２０−２が床３００に形成された図示しない貫通孔を垂直に貫通して並設されている。バスダクト１２０は、縮小部分１０２が床３００の上面付近に位置するように設置されており、その縮小部分１０２の幅方向両側に床支持装置４００が配置され、バスダクト１２０を挟み込むようにして取り付けられる。尚、図示例では、一例としてバネ部材５００を有しない床側取付部材４２０を用いている。
【００８４】
床支持装置４００のバスダクト側取付部材４６０は、床３００と略平行に配置された略長方形状の取付基部４６１と、取付基部４６１の側端から略９０度屈曲して上方且つバスダクト１２０の第１補強部３２に沿って延設される挟持片４６２とを有する。バスダクト側取付部材４６０の挟持片４６２には図示しないボルト孔が形成されており、このボルト孔に対し、ボルト４１５が床支持装置４００側から挿入され、ボルト４１５の逆側からナット４１６が螺合される。ナット４１６と挟持片４６２との間には、例えば、ボルト４１５を挿通可能な挿通孔が形成されると共に断面視略コ字形状の係止部８００が、挿通孔にボルト４１５が挿通された状態で配置されている。そして係止部８００がバスダクト１２０の第２補強部３３を跨いだ状態でナット４１６で螺合することにより、バスダクト側取付部材４６０がバスダクト１２０に取り付けられる。本例のバスダクト支持構造でも第３実施形態と同様の効果を得ることができる。
【００８５】
また、第１〜第５実施形態はバスダクト１００、１１０、１２０、１３０の厚さ方向に延びるハウジングの端部に形成された補強部が縮小されることで縮小部分１０２を形成した構成、第６、第７実施形態はバスダクト１５０の幅方向に延びるハウジングの端部に形成された補強部が縮小或いは除去されることで縮小部分１０２を形成した構成であるが、本発明はこれに限らず、バスダクトの厚さ方向に延びるハウジングの端部と幅方向に延びるハウジングの端部との両方に補強部が形成されているバスダクトを支持する場合にも適用可能である。具体的には、例えば図２のバスダクト１００の通常部分１０１において、ハウジング３０の第２補強部３３が第１補強部３２の外側端縁から互いに離間するように略９０度に屈曲して延設されるような場合が想定される。この場合、第１補強部３２がバスダクト１００の厚さ方向に延設され、第２補強部３３がバスダクト１００の幅方向に延設されていることになり、第１補強部３２に縮小部分１０２を設ける構成、第２補強部３３に縮小部分１０２を設ける構成、或いはその両方に縮小部分を設ける構成等とすることが可能であり、かかる構成により、第１〜第６実施形態に対応する効果が得られる。
【００８６】
また、第１〜第７実施形態では、バスダクト１００、１１０、１２０、１３０、１４０が、オフィスビル、工場、変電設備等の建築構造物の屋内で支持される場合について述べたが、本発明はこれに限らず、オフィスビル、工場、変電設備等の建築構造物の屋外で支持する場合を含み、配電盤や分電盤といった設備に取り付けて支持する場合も含む。すなわち、バスダクト１００、１１０、１２０、１３０、１４０が適宜の構造物に取り付けられて支持される構成であれば本発明に含まれ、この場合にも上述と同様の効果が得られる。
【００８７】
第１〜第７実施形態においては、バスダクト１００、１１０、１２０、１３０、１４０を絶縁被覆導体を積層したタイプのバスダクトとする場合について説明したが、導体を所定間隔離間して並べる空気絶縁タイプのバスダクトについて適用しても、上述と同様の効果を得ることができる。
【００８８】
また、バスダクトの設置スペース縮小効果、強度との最適化、現場での作業性等を考慮し、第１〜第７実施形態のバスダクトやその支持装置やこれらの変形例を任意に組み合わせる構成とすることが可能である。また、バスダクトの布設方向は、単系統若しくは複数系統で、垂直布設又は水平布設される場合に限定されず、斜めに傾斜して布設される場合など所定方向に延びるように布設される構成であれば本発明は適用可能である。また、縮小部分１０２を複数設ける場合には、一定のピッチ又は所定パターンの異なるピッチなど、所定ピッチでバスダクトの長手方向に設けることが可能である。
【産業上の利用可能性】
【００８９】
本発明は、バスダクトを支持する際に利用することができる。
【符号の説明】
【００９０】
３０…ハウジング  ３１…基面  ３２…第１補強部  ３３…第２補強部  ３４、３５、３６、３７…第３補強部  ３８…第４補強部  ４０…スペーサ  ４１…ボルト  ４２…ナット  ６０…ハウジング半体  ６１…収納凹部  ６２…第１フランジ  ６３…補強部  ６４…係合部  ６５…第２フランジ  ６６…リベット  １００、１００−１、１００−２、１１０、１１０−１、１１０−２、１２０、１２０−１，１２０−２、１３０、１３０−１，１３０−２、１３１−１、１３１−２、１４０、１５０、９００…バスダクト  １０１…通常部分  １０２…縮小部分  ２００、２００−１、２００−２…接続部  ３００、３００−１、３００−２…床  ３０１…第１天井部  ３０２…第２天井部  ４００…床支持装置  ４１０、４３０、４４０、４５０、４６０、４７０…バスダクト側取付部材  ４１１、４３１、４４１、４５１、４６１、４７１、４８１…取付基部  ４１２、４３２、４４２、４５２、４６２、４７２、４８２…挟持片  ４１３、４３３、４４３…延在片  ４１４、４３４、４５３…固定片  ４１５…ボルト  ４１６…ナット  ４２０…床側取付部材  ４２１…第１チャンネル部材  ４２２…第２チャンネル部材  ５００…バネ部材  ６００…絶縁被覆導体  ７００…水平支持装置  ７１０…支柱  ７２０…支持架台  ７３０…支持部材  ７４０、７５０…固定部材  ８００…係止部
【図１】
2011176929.tif 000003
【図２】
2011176929.tif 000004
【図３】
2011176929.tif 000005
【図４】
2011176929.tif 000006
【図５】
2011176929.tif 000007
【図６】
2011176929.tif 000008
【図７】
2011176929.tif 000009
【図８】
2011176929.tif 000010
【図９】
2011176929.tif 000011
【図１０】
2011176929.tif 000012
【図１１】
2011176929.tif 000013
【図１２】
2011176929.tif 000014
【図１３】
2011176929.tif 000015
【図１４】
2011176929.tif 000016
【図１５】
2011176929.tif 000017